(57)【要約】【課題】本発明は、照明器具の施工時に過度な外力により冷陰極放電管が破損することを防止することができ、なおかつ冷陰極放電管の交換時は冷陰極放電管のみの交換で済ますことができる照明器具を提供することにある。【解決手段】冷陰極放電管０３の前面に冷陰極放電管０３を覆うように半透明な第二の透光カバー０７が予め取付けられているので、冷陰極放電管０３を直接触らずに施工でき、冷陰極放電管０３への過度な外力が加わることがないため、冷陰極放電管０３の破損を防止することができる。また、施工時、第二の透光カバー０７の内側に存在する冷陰極放電管０３が見えるので、ランプを認識した上で、施工を行うため、冷陰極放電管０３の破損を確実に防止できる。【選択図】　図１
2004119274.tif 000002
【特許請求の範囲】
【請求項１】
冷陰極放電管、点灯装置、器具本体、第一の透光カバーで構成された照明器具において、該冷陰極放電管の前面に第二の透光カバーを配設し、且つ該第二の透光カバーは半透明としたことを特徴とする照明器具。
【請求項２】
請求項１記載の照明器具において、前記第二のカバーを透明としたことを特徴とする照明器具
【請求項３】
請求項１又は２に記載の照明器具において、前記第二の透光カバーを円筒状とし、前記冷陰極放電管を前記第二のカバーの略中心軸上に配設したことを特徴とする照明器具。
【請求項４】
請求項１又は２に記載の照明器具において、前記第二の透光カバーは断面形状がＵ字状であり、該Ｕ開口部を前記冷陰極放電管の後方に向けて配設し、且つＵ字状の端部に係合手段を設けたことを特徴とする照明器具。
【請求項５】
請求項４記載の照明器具において、前記第二の透光カバーの係合部背面に反射面を設けたことを特徴とする照明器具。
【請求項６】
請求項１乃至５の何れかに記載の照明器具において、前記第一の透光カバーは、複数の穴を設けたことを特徴とする照明器具。
【請求項７】
請求項６記載の照明器具において、前記複数の穴は前記冷陰極放電管と平行となるよう配列したことを特徴とする照明器具。
【請求項８】
冷陰極放電管、点灯装置、器具本体、第一の透光カバーで構成された照明器具において、該冷陰極放電管の背面側を略包囲し、且つ該冷陰極放電管を該器具本体の所定の位置に保持可能な冷陰極放電管支持部材を設けたことを特徴とする照明器具。
【請求項９】
請求項８記載の照明器具において、前記冷陰極放電管支持部材が前記冷陰極放電管から発せられた光を所定方向に反射可能な反射板を兼ね備えたことを特徴とする照明器具。
【請求項１０】
請求項１乃至９の何れかに記載の照明器具において、前記第一の透光カバーを前記冷陰極放電管が点灯状態で認識できない程度の透過度にしたことを特徴とする照明器具。
【請求項１１】
請求項１０記載の照明器具において、前記第一の透光カバーに拡散レンズを設けたことを特徴とする照明器具。
【発明の詳細な説明】
【０００１】
【発明の属する技術分野】
本発明はフィラメントによって予熱しない非予熱型の冷陰極放電管を用いた照明器具に係り、特に施工やメンテナンス時における冷陰極放電管の破損防止に好適な照明器具に関する。
【０００２】
【従来の技術】
従来、冷陰極放電管は、一般の直管蛍光灯に比べ寿命が長いといった利点を持つ反面、冷陰極放電管を用いた照明器具では、施工やメンテナンス時に冷陰極放電管に直接触れるなどして、過度な外力によって冷陰極放電管が破損することがあった。
このため、冷陰極放電管の破損を防止する為に、冷陰極放電管の周囲を樹脂で囲んだランプホルダ−ユニットを形成し、施工やメンテナンス時には前記ランプホルダーユニット毎に交換ができるようにした事例がある（特許文献１参照）。
【０００３】
【特許文献１】
特開２００２−２３６７１号公報（第１２−２１頁、第１図）
【０００４】
【発明が解決しようとする課題】
しかしながら、従来の冷陰極放電管を用いた照明器具においては、冷陰極放電管を交換する際は、ランプホルダ−ユニット毎交換しないといけない構造になっているため、冷陰極放電管が破損することが無いものの、ランプホルダーユニット毎交換するので冷陰極放電管の周囲を囲んだ樹脂部材も一緒に交換するといった無駄が生じ、余計なコストが発生するといった問題を有していた。
【０００５】
本発明は、上記課題を解決するためになされたもので、本発明の目的は、照明器具の施工時に過度な外力により冷陰極放電管が破損することを防止することができ、なおかつ冷陰極放電管の交換時は冷陰極放電管のみの交換で済ますことができる照明器具を提供することにある。
【０００６】
【課題を解決するための手段】
上記目的を達成する為に請求項１は、冷陰極放電管、点灯装置、器具本体、第一の透光カバーで構成された照明器具において、該冷陰極放電管の前面に第二の透光カバーを配設し、且つ該第二の透光カバーは半透明としたことである。
【０００７】
これにより、照明器具を取付ける際は、第一の透光カバーを外して取付けを行っても、冷陰極放電管の前面に第二の透光カバーが取付いているので、冷陰極放電管を直接触らずに施工でき、冷陰極放電管への過度な外力が加わることがなく、冷陰極放電管の破損を防止することができる。また、第二の透光カバーの半透明の度合いを、該冷陰極放電管が点灯状態で認識できない程度とすると、第一の透光カバーを取付けた状態で外側から第二の透光カバーが見えることがないので、外観意匠を損なわない。
【０００８】
請求項２では、請求項１の発明の場合において、前記第二の透光カバーを透明としたことである。
【０００９】
これにより、施工時第二の透光カバーの内側に存在する冷陰極放電管が見えるので、ランプを認識した上で慎重に施工するようになり、冷陰極放電管の破損防止を確実にすることができる。また、第二の透光カバーで吸収される光が減少し、器具効率が向上する。
【００１０】
請求項３では、請求項１又は２の発明の場合において、前記第二の透光カバーを円筒状とし、前記冷陰極放電管を前記第二の透光カバーの略中心軸上に配設したことである。
【００１１】
これにより、第二の透光カバーを円筒状にし、冷陰極放電管を略中心軸上に配設したので、冷陰極放電管から発せられた光は第二の透光カバーの略垂線方向へ入射することができ、光の透過効率が良い。
【００１２】
請求項４では、請求項１又は２の何れかの発明の場合において、前記第二の透光カバーは断面形状がＵ字状であり、該Ｕ開口部を前記冷陰極放電管の後方に向けて配設し、且つＵ字状の端部に係合手段を設けたことである。
【００１３】
これにより、冷陰極放電管から発せられた光は第二の透光カバーにおいてＵ形状の円弧部に照射され、この円弧部の略垂線方向へ入射することができるので、光の透過効率が良い。また、Ｕ字状の端部に係合手段を設けているので、ランプを交換する際の脱着が容易となる。
【００１４】
請求項５では、請求項４の発明の場合において、前記第二の透光カバーの係合部背面に反射面を設けたことである。
【００１５】
これにより、器具内で吸収される光が有効に利用され、器具効率が向上する。
【００１６】
請求項６では、請求項１乃至５の何れかの発明の場合において、前記第二の透光カバーは、複数の穴を設けたことである。
【００１７】
これにより、冷陰極放電管より発せられる光のうち複数の穴を透過する光は、第二の透光カバーによって吸収されることなく前面へ照射されるので、第二の透光カバーの透過効率が全体的に向上する。また、第二の透光カバーにある複数の穴は、冷陰極放電管で発せられた熱の排出を兼ねているので、冷陰極放電管またはその周辺部材の温度上昇を緩和する効果もある。
【００１８】
請求項７では、請求項６の発明の場合において、前記複数の穴は前記冷陰極放電管と平行となるよう配列したことである。
【００１９】
これにより、冷陰極放電管より発せられる光のうち複数の穴を透過する光は冷陰極放電管と平行方向に照射されるので、配光分布が乱れずに済む効果がある。
【００２０】
請求項８では、冷陰極放電管、点灯装置、器具本体、第一の透光カバーで構成された照明器具において、該冷陰極放電管の背面側を略包囲し、且つ該冷陰極放電管を該器具本体の所定の位置に保持可能な冷陰極放電管支持部材を設けたことである。
【００２１】
これにより、照明器具を取付ける際は、冷陰極放電管の背面に冷陰極放電管支持部材がすでに取付いているので、施工時に誤って冷陰極放電管に触っても冷陰極放電管がたわむことがない。したがって、冷陰極放電管のたわみによる破損を防止することができる。また、別途冷陰極放電管を器具本体の所定の位置に保持する部材が不要であり、経済的である。
【００２２】
請求項９では、請求項８の発明の場合において、前記冷陰極放電管支持部材が前記冷陰極放電管から発せられた光を所定方向に照射可能な反射板を兼ね備えたことである。
【００２３】
これにより、冷陰極放電管から発せられる光が反射板によって、所定方向へ反射されるので、照射面を効率良く明るくすることができる。
【００２４】
請求項１０では、請求項１乃至９の何れかの発明の場合において、前記第一の透光カバーを前記冷陰極放電管が点灯状態で認識できない程度の透過度にしたことである。
【００２５】
これにより、点灯状態において冷陰極放電管が認識できない程度の透過度にしたので眩しさを防止できるばかりでなく、透光面の均一性を保持でき外観意匠を向上できる。
【００２６】
請求項１１では、請求項１０の発明の場合において、前記第一の透光カバーに拡散レンズを設けたことである。
【００２７】
これにより、さらに冷陰極放電管の眩しさを緩和し、透光面の均一性を保持できる。
【００２８】
【発明の実施の形態】
以下、本発明に係る実施の形態については図面により説明する。
【００２９】
図１、図２は本発明の第１の実施の形態に係る正面図、断面図である。
【００３０】
照明器具０１ａは、器具本体０２、冷陰極放電管０３、冷陰極放電管ホルダ−０６、点灯装置０４、第二の透光カバー０７からなる照明ユニット０１ａ’と、第一の透光カバー０５、カバー取付ネジ２０により構成されている。
【００３１】
壁面１０に器具取付ネジ２１によって取付けられた器具本体０２の前面に冷陰極放電管ホルダ−０６、点灯装置０４が配設され、冷陰極放電管ホルダ−０６に冷陰極放電管０３が装着されている。冷陰極放電管０３の前面に冷陰極放電管０３と冷陰極放電管ホルダ−０６を覆うように半透明の第二の透光カバー０７が器具本体０２の第二の透光カバー取付部０２ａにネジ２２にて取付けられており、これら全体を第一の透光カバー０５にて覆い、第一の透光カバー０５は器具本体０２にカバー固定ネジ２０にて取付けられている。また、照明器具０１ａは商用電源に接続されており（図示せず）、点灯装置０４によって高周波電力に変換され、その高周波電力によって冷陰極放電管０３が点灯するようになっている。
【００３２】
施工手順としては、器具本体０２を壁面１０に器具取付ネジ２１でネジ止め後、第一の透光カバー０５をカバー取付ネジ２０で固定するようになっている。
【００３３】
これにより、冷陰極放電管０３は第二の透光カバー０７で保護されているので、冷陰極放電管０３に直接触らずに施工ができ、冷陰極放電管０３に過度な外力が加わることがなく冷陰極放電管０３の破損を防止することができる。
【００３４】
また第二の透光カバー０７の半透明の度合いを、冷陰極放電管０３が点灯状態で認識出来ない程度とすると、第一の透光カバー０５を取付けた状態で外側から第二の透光カバー０７が見えることがないので、外観意匠を損なわない。
【００３５】
また、本実施例において第二の透光カバー０７を透明とすると、内側に存在する冷陰極放電管０３が目視にて確認できるため、施工者はランプが存在することをあらかじめ認識した上で慎重に施工するようになり、冷陰極放電管０３の破損を防止することができる。また、第二の透光カバー０７で吸収される光が減少し、器具効率が向上する。
【００３６】
また、第二の透光カバー０７は、ネジ２２で器具本体０２の第二の透光カバー取付部０２ａに取付けられており、脱着可能である。したがって、第一の透光カバー０５と第二の透光カバー０７を脱着することで冷陰極放電管０３が交換可能となり、ユニット毎の交換では無く冷陰極放電管０３のみの交換で済む。
【００３７】
また、第一の透光カバー０５は、透光部０５ａと不透光部０５ｂにより構成されており、透光部０５ａと不透光部０５ｂは、各々別に成形された後、接着により接合されている。
【００３８】
透光部０５ａは、透光性を有する乳白色の樹脂材料よりなり、表面に断面形状が凸半球形状の拡散レンズを備えているので、冷陰極放電管０３の光を透過させるものの、拡散作用により眩しさを緩和するばかりでなく、ランプや第二の透光カバーの像をぼかし、外側から見えないようにすることができる。また、不透光部０５ｂは、不透光性の樹脂材料としたので、照明器具０１ａの内部に配設された点灯装置０４は見えず外観意匠性がアップする。
【００３９】
図３、図４は本発明の第２の実施の形態に係る正面図、断面図である。
【００４０】
第１の実施の形態と異なる点は、第二の透光カバー０７を支持する第二の透光カバー支持部材１１を設けた点と、第二の透光カバー０７の形状を冷陰極放電管０３を包囲するような筒状とし、内側に冷陰極放電管０３を第二の透光カバー０７の略中心軸上に支持する支持部０７ａを設けた点であり、他は第１の実施の形態と同様に形成されている。
【００４１】
これにより、冷陰極放電管０３から発せられた光は第二の透光カバー０７の略垂線方向へ入射することができ、光の透過効率が良い。
【００４２】
図５、図６は本発明の第３の実施の形態に係る正面図、断面図である。
【００４３】
第１の実施の形態と異なる点は、第二の透光カバー０７の断面形状がＵ字状で冷陰極放電管０３を第二の透光カバー０７のＵ字部の略中心軸上に配設しまた、冷陰極放電管０３に対してＵ開口部を冷陰極放電管０３の後方に向けて取付けた点で、Ｕ開口部は冷陰極放電管ホルダ−１１と係合して取付いており、脱着可能である。
【００４４】
これにより、冷陰極放電管０３から発せられた光は第二の透光カバー０７のＵ形状円弧部に照射され、この円弧部の略垂線方向へ入射することができるので光の透過効率が良い。また、第二の透光カバー０７は、Ｕ開口部を係合手段として脱着可能にしたので、ランプのみの交換が容易に行える。
【００４５】
図７、図８は本発明の第４の実施の形態に係る正面図、断面図である。
【００４６】
第３の実施の形態と異なる点は、第二の透光カバー０７の係合部背面にアルミ鏡面材の反射面１２を設けたことである。
【００４７】
これにより、冷陰極放電管０３から発せられた光は反射面１２によって反射されこの反射光によって、効率良く所定方向の照射面を明るくすることができる。
【００４８】
また、前記反射面１２の材質については、金属や樹脂の成形品に反射率の高い塗装や蒸着を施したもの、アルミフィルムを貼付けたもの、或いは鏡面仕上げの白色の樹脂成形品でも良い。
【００４９】
ここで、以上の実施例において、第二の透光カバー０７に複数の穴を設けても良い。
【００５０】
これにより、冷陰極放電管０３から発せられた光は第二の透光カバー０７によって吸収されることなく前面へ照射されるので、第二の透光カバー０７の透過率が全体的に向上する。また、複数の穴を冷陰極放電管０３と平行に設けると、冷陰極放電管０３より発せられる光のうち複数の穴を透過する光は冷陰極放電管０３と平行方向に照射されるので、配光分布が乱れずに済む。
【００５１】
図９、図１０は本発明の第５の実施の形態に係る正面図、断面図である。
【００５２】
照明器具０１ｂは、器具本体０２、冷陰極放電管０３、冷陰極放電管支持部材０８、点灯装置０４から成る照明ユニット０１ｂ’と第一の透光カバー０５、カバー取付ネジ２０により構成されている。
【００５３】
壁面１０に器具取付ネジ２１によって取付けられた器具本体０２の前面に冷陰極放電管支持部材０８、点灯装置０４が配設され、冷陰極放電管支持部材０８に冷陰極放電管０３が装着されており、これら全体を第一の透光カバー０５にて覆い、第一の透光カバー０５は器具本体０２にカバー固定ネジ２０にて取付けられている。また、照明器具０１ｂは商用電源に接続されており（図示せず）、点灯装置０４によって高周波電力に変換され、その高周波電力によって冷陰極放電管０３が点灯するようになっている。
【００５４】
冷陰極放電管支持部材０８は不透光材料からなり、照明ユニット０１ｂに配設された冷陰極放電管０３の背面に冷陰極放電管０３と平行に取付けられている。
【００５５】
これにより、照明ユニット０１ｂ’を壁面１０に取付ける際は、冷陰極放電管０３の背面に冷陰極放電管支持部材０８がすでに取付いているので、施工時に誤って冷陰極放電管０３に触っても冷陰極放管０３がたわむことがなく、たわみによる破損を防止する。
【００５６】
図１１、図１２は本発明第６の実施の形態に係る正面図、断面図である。
【００５７】
第５の実施形態と異なる点は、冷陰極放電管支持部材０８がアルミ鏡面材からなり、反射板を兼ねたことで、他は第５の実施形態と同様に形成されている。
【００５８】
これにより、冷陰極放電管０３から発せられる光が反射板を兼ねた冷陰極放電管支持部材０８よって反射され、この反射光によって効率よく照射面に照射することができる。
【００５９】
以上第５、第６の実施例において、冷陰極放電管支持部材０８及び反射板０９の材質は、アルミ鏡面材の他、金属や樹脂の成形品に反射率の高い塗装や蒸着を施したもの、アルミフィルムを貼付けたもの、或いは鏡面仕上げの白色の樹脂成形品でも良い。
【００６０】
また、以上本実施例において、第一の透光カバー０５を冷陰極放電管０３が点灯状態で認識出来ない程度の透過度とした。
【００６１】
これにより、点灯状態において冷陰極放電管０３が認識出来ない程度の透過度にしたので、眩しさを防止できるばかりでなく、透光面の均一性を保持でき外観意匠を向上できる。
【００６２】
なお、以上の本実施例において、第一の透光カバー０５の透光部０５ａの表面を凸半球形状の拡散レンズとしたが、これに限らず、鋸歯状の屈折レンズ、或いは平面としても良い。また乳白色の樹脂材料ではなく、透明の樹脂材料でも良い。
【００６３】
また、ランプは一本としたが、これに限らず、複数本並べて配設しても良く、第二の透光カバー０５も一枚ではなく複数枚に分割して構成しても良い。
【００６４】
また、照明器具０１ａ、０１ｂは直線状としたが、これに限らず、円形状や円弧状などでも良い。
【００６５】
【発明の効果】
本発明は上記構成により次の効果を発揮する。
本発明は照明器具を天井又は壁面に施工する際、第二の透光カバーが冷陰極放電管前面にすでに取付けられいることで、冷陰極放電管に直接触れることができない構造となっている。これにより冷陰極放電管に過度な外力が加わることがなくなるので冷陰極放電管の破損を防止することができる。
又、第二の透光カバーは冷陰極放電管が非点灯状態で認識できる程度の透過度の半透明或いは、透明であるため、第二の透光カバー内側に取付けられている冷陰極放電管を認識した上で施工するようになり、冷陰極放電管の破損を確実に防止できる。
更に、第一の透光カバーを冷陰極放電管の点灯状態において冷陰極放電管が認識できない程度の透過度にしたので眩しさを防止できる。
【図面の簡単な説明】
【図１】本発明の一実施例に係る照明器具を示す正面図である。
【図２】本発明の一実施例に係る照明器具を示す図１の断面図である。
【図３】本発明の一実施例に係る照明器具を示す正面図。
【図４】本発明の一実施例に係る照明器具を示す図３の断面図である。
【図５】本発明の一実施例に係る照明器具を示す正面図である。
【図６】本発明の一実施例に係る照明器具を示す図５の断面図である。
【図７】本発明の一実施例に係る照明器具を示す正面図である。
【図８】本発明の一実施例に係る照明器具を示す図７の断面図である。
【図９】本発明の一実施例に係る照明器具を示す正面図である。
【図１０】本発明の一実施例に係る照明器具を示す図９の断面図である。
【図１１】本発明の一実施例に係る照明器具を示す正面図である。
【図１２】本発明の一実施例に係る照明器具を示す図１１の断面図である。
【図１３】従来の照明器具の例を示す分解斜視図である。
【符号の説明】
０１ａ，０１ｂ…照明器具
０１ａ’，０１ｂ’…照明ユニット
０２，３１…器具本体
０２ａ…第二の透光カバー取付部
０３…冷陰極放電管
０４…点灯装置
０５…第一の透光カバー
０５ａ…第一の透光カバーの透光部
０５ｂ…第一の透光カバーの不透光部
０６…冷陰極放電管ホルダ−
０７…第二の透光カバー
０７ａ…支持部
０８…冷陰極放電管支持部材
０９、１２…反射板
１０…壁面
１１…第二の透光カバー支持部材
２０…カバー取付ネジ
２１…器具取付ネジ
２２…ネジ
３０…ランプホルダユニット
３２…点灯装置
【図１】
2004119274.tif 000003
【図２】
2004119274.tif 000004
【図３】
2004119274.tif 000005
【図４】
2004119274.tif 000006
【図５】
2004119274.tif 000007
【図６】
2004119274.tif 000008
【図７】
2004119274.tif 000009
【図８】
2004119274.tif 000010
【図９】
2004119274.tif 000011
【図１０】
2004119274.tif 000012
【図１１】
2004119274.tif 000013
【図１２】
2004119274.tif 000014
【図１３】
2004119274.tif 000015